(57)【特許請求の範囲】
【請求項１】
円形の情報記憶ディスク、特にコンパクトディスク用のボール紙などから成る包装ユニットであり、平らで、短い側に側部開口を備えた四角形ケーシングと、ケーシング内に挿入可能且つ抜き取り可能な収納エンベロープとから成り、
ケーシングとエンベロープが、エンベロープの最初の挿入後にブロック位置を越えないように協働するブロックフラップ（７６、８１）を備え、
エンベロープがケーシングの内空間（８４）に対応した寸法の底部分（８０）と、ケーシングの内空間で上向きに折りたたまれる分離プレート（７４）と、折り畳まれて、底部分の挿入端部と逆側に配置される端部でエンベロープの前記ブロックフラップを形成するフラップ（７６）と、上向きに折り畳まれる蓋フラップ（７３）とを有し、蓋フラップは、エンベロープがブロック位置まで抜き出されたときにケーシングによって覆われないような長さを有し、分離プレートは、包装されるディスクの周縁に沿って且つ、周縁部に対して上向きに折り畳まれて、分離プレート上でディスクを保持する少なくとも一つの保持舌部（７６、７６´、７６″）を有し、
分離プレート（７４）が、包装されるディスクの周縁に配置される突出支持要素（８６、８８）を備え、保持舌部（７６、７６´、７６″）が、折り目により折り畳まれ、折り目は保持舌部が分離プレート（７４）から間隔をあけて配置されるように形成され、保持舌部の平面が包装されるディスクの上側に部分的に延び、
前記突出支持要素が、前記周縁部の周りに配置された複数のボスによって形成され、前記ボスが、包装されるディスクの円周に対応する円の外側において最大高さ（９０）を有するように配置され、包装されるディスクの周縁部が、ボスが有する中心方向に傾斜する部分に接触することを特徴とする包装ユニット。
【請求項２】
突出支持要素を、分離プレート（７４）の材料に対する打ち込み変形によって形成することを特徴とする請求項１に記載の包装ユニット。
【請求項３】
ボスを、分離プレート（７４）の表面に接着させることを特徴とする請求項１に記載の包装ユニット。
【請求項４】
突出支持要素が、ディスクの中心近くに配置されたリム（Ｒ）の高さに適する高さであることを特徴とする請求項１〜３のいずれか一項に記載の包装ユニット。
【請求項５】
ブックレットが、分離プレートの下に挿入され、そのブックレットが分離プレートに面し、ブックレットと分離プレートとの間に挿入された第二のディスクの周縁部を支持する突出支持要素を備えることを特徴とする請求項１〜４のいずれか一項に記載の包装ユニット。
【請求項６】
突出支持要素が、第二のコンパクトディスクをその周縁部で支持する底プレート（８０）に配置され、第二のコンパクトディスクが底プレートと分離プレート（７４）との間に収納されることを特徴とする請求項１〜４のいずれか一項に記載の包装ユニット。
【発明の詳細な説明】
【０００１】
（技術分野）
本発明は、情報記憶ディスク用のボール紙などの包装ユニットに関するもので、上記の請求項１の前文に記述された種類の包装ユニットである。
【０００２】
（背景技術）
その様な包装ユニットは、明細書WO/97/38919に記載されている。それは大体正方形で、平らなケーシングと、引出しのような方法で中に挿入されるエンベロープ類から成り、そのエンベロープはその寸法の約半分以上が抜き取られることのないように成っている。好ましくはエンベロープは、一部に穴をあけて、折り畳まれ、また分離プレート及び、下に配置する底プレートを有する。ディスクは、分離プレートの頂部に置くことができ、分離プレートにある少なくとも一つのフラップによって分離プレート上に保持され、分離プレートはディスクの縁部を越えて折り畳まれる。分離プレートにおける一つ以上のフラップと、蓋フラップによって、ディスクが包装ユニットの適所にほぼ固定されて保持される。ブックレットと称されるフォルダーを、分離プレートと底プレートとの間に挿入することができる。
【０００３】
この構造の明確な欠点は、何らかの極度な気候状態で生じることは明らかである。下方へ折り畳まれたままになっているフラップにより、必然的に完全な対称的配置ができず、もしそう配置しようとすると、例えば開けた状態で、ディスクを取り出したり、戻したりするのに邪魔になり、一定の曲がりモーメントがディスクに対して残る。この曲がりモーメントは、また必要なコンパクトディスクが、それ自体、コンパクトディスクに成形された、リングを具備した基板に対し、中心穴の周囲で、支持することによって大きくなる。長い期間高温で収納すると、それによってプラスティック曲がり変形を永久的に生じさせ得、ゆえにディスクをかけると、“弾んで”録音ヘッドまで一定の距離を保てない。この効果の大きさは、利用される材料と、ディスクの弾性変形が続く間の時間と、収納温度に依存する。またこのことは、もし収納時間が長いと、温度が適度な室温であっても、非常に良好な材料が、永久変形し得る。単なるプラスチック材料に関する一般の要求が低くなり、変形問題が大きくなる。
【０００４】
本発明により、この問題は解決され、本発明の利点は最初に述べられた種類の包装ユニットによって得られ、請求項１の特徴とする部分に記載された特徴を有する。それによって特に、包装されたディスクは、その大きさと重量により生じる力以外に、別の力を受けない。包装ユニット内のディスクは、通常、大体起立状態で収納されると、これらの力はごく僅かなものと考えられる。少なくとも包装ユニットである限り、それ自体が外部変形されないので、それにより問題となる変形による損傷が、もはや殆ど生じ得ない。
【０００５】
（発明の開示）
本発明に好ましい実施形態によると更に、ディスクの情報記憶層が、磨耗損傷を生じさせ得る基板への接触を、できる限り避けようとする。もし周辺の突出支持要素が、レコーディングに使わない領域でディスクを支持すれば、それ自体充分である。ディスクが、中心の近くからスタートして外側へレコーディングされると、周縁部に余白がしばしば広がる。しかし有効な基準値によると、通常のコンパクトディスクと類似の標準ディスクに関して、余白は1.7mmよりも広くなってはならない。この場合、確実に情報層が基板をクリアーするため、別の実施形態において、その最高ポイントの突出部のような支持要素を、ディスクの外周よりも大きな円上に配置し、それによってディスクの縁部が、中心に面し且つそれに向かって傾斜するそれら突出した部分に対して、載るようになっている。
【０００６】
他の従属の請求項は、本発明による別の好ましい実施形態を記述している。
【０００７】
（発明を実施するための最良の形態）
本発明を、添付図面に示され、それに限定されない実施例を参照して説明する。
【０００８】
図１に示されたボール紙などの材料は、底プレート８０を有し、それを超えて蓋フラップ７３が、エンベロープの厚さを決定する折り目７１、７２で折り畳まれ、更に底プレートを越えて折り畳まれ且つ、輪郭が円形の分離プレート７４と、フラップ７６、７６´及び７６″とを有している。分離プレートの折り畳み線７５は、底プレート８０と分離プレート７４との間に境界を形成し、穴あけフラップ７６に沿って外側に両折り畳み線７７、７８が配置され、その折り畳み線の間隔は、前記の折り畳み線７１、７２と同様に、完成したエンベロープの厚さに大体対応する。またフラップ７６は、止めフラップを形成し、このことは以下で詳しく記述する。折り畳み線７９は、エンベロープをケーシングから抜き出した後に、包装されたディスクの扱いを容易にするように作用する。
【０００９】
図２に示されたケーシング用の材料は、同じ寸法の上部分と底部分８４とを有し、両方とも底プレート８０及び、それに属するエンベロープ部材の挿入に適切且つ対応している。側部フラップにより互いに組み立てられて接着されると、材料はその開口部に内側に折り畳まれるフラップ８１を有する。このフラップは、下方へはね、またフラップ７６(図１）は上方へはね、抜き出す時はそれらのフラップが、互いに引っ掛かって抜出し続けるのを防止する。このことは図３に部分断面図に詳しく示されており、ディスクＰを支持する分離プレートと、部分的に抜き出されたエンベロープを示している。
【００１０】
エンベロープを抜き出す時に便利なグリップとして、エンベロープは孔８５（図３参照）を有しており、挿入位置で、開いた状態のケーシングにおける孔８９（図２参照）と一致する。
【００１１】
図３において、またディスクＰを側方の動きから、フラップ７６、７６´及び７６″によってどのように保護するか明確に示しており、それによって挿入位置で別の側部の障害物が、下方へ折り畳まれる蓋フラップ７３と、ケーシングの狭い壁によって形成されていることが容易に理解できる。
【００１２】
本発明によると、小さなスタンピング８６が分離プレートの縁部に作られており、図１参照、スタンピングが縁部で突出部を形成しており、それに対してディスクが外周部に載っている。加えて、フラップ用の折り畳みノッチが、図１で明らかなように、二重になっており、挿入されるディスクをこれ以上分離プレートの表面に対して押し込めないようになっている。
【００１３】
好ましい実施例によると、突出部はボスとして、ディスクの縁部の外側に配置されたその中心部と共に、配置され、ディスクがボスに対して載っている。図４及び図５から明らかなように、この分離プレート７４´はディスクと同じ形状してはおらず、代わりに少なくとも幾つかの部分では、ディスクを越えて延びる。それによって図４には、その様なボス８８が、パンチングに関連してそれ自体働くことができる、ボール紙材料に幾分か押し込まれている。また図４における材料は、図１における材料と似ている。加えて図５における材料は、その底プレートにボス８９を備え、ボスは逆方向から押し出されて、それは一般的に材料に関連した別の製造段階で行われる。
【００１４】
またブックレット、すなわち通常の閉じこみフォルダー、が対応するボス（図示せず）を備えることができる。
【００１５】
図６は本発明による好ましい実施例によって、ディスクがどのように配置されているかを概略的に示している。ディスクＰは、分離プレート７４´上に置かれ、ディスクＰの一部分だけが、図示されていない中心部の周囲を延びるその円形のリムＲと、リムの外側に配置された情報エリアＩと、情報が空で有効基準によると1.7mm以下でない空白部分Ｍと共に示されている。図面は本質的に、一定に拡大して示されている。ボス８８は、その対称線９０をディスクの縁部の外側に有しており、ディスクの縁部が、ボスの内方傾斜部分に対して支持されており、それによってリムＲと共に互いにディスクを支持している。舌部７６´、７６″及び７３の配置に関して特に得られる製造の正確性の範囲内で、図面から一定の小さな側方動作ができるようになっている。
。
【００１６】
図７は、ボス８及び（図示しないが）中央の円形リムによって支持されているディスクＰと共に、ケーシングに挿入する前のエンベロープを示している。前記で説明したことを除いて、底部分が側部窪み１００を有し、その側部窪みは、ディスクの側方縁部の前方に配置され、エンベロープが停止位置まで引き抜かれる時、ディスクＰを横切るように安定して把持することができる。
【００１７】
殆どの場合、分離プレートの下の空間は、小さなフォルダーを包装するため容易に使用され、そのフォルダーに音楽に関してはテキスト、別の物品、そしてコンピューターディスクに関しては短いマニュアルのような説明書他のものを入れる。しかし本発明の概念によると、それに対応する保護方法で、分離プレートの下に第二のコンパクトディスクを包装する可能性が、予見される。そしてこの場合も、結果的に底プレート８０上に、図１に示されているボス８７のような同じ特徴の突出部を適切に配置する。図１において材料が折り畳まれると考えて、ボスがもしスタンピングとして形成されると、ボス８６とボス８７を図３による完成したエンベロープにおいて上方を向けなければならないので、向かい合う方向に打ち出される。この場合は特別なフラップがディスクを保持するため配置されておらず、それはもしディスクがフルにレコーディングされていなく、結果的にレコーディングされていない周辺余白を有していれば、不必要であり、底プレートにより大きな支持要素を設けるのに適しており、支持要素は、特にエンベロープの抜き取り方向に大きく動く可能性があるにもかかわらず、その支持作用が行われる。
【００１８】
現在、各支持ボス８６及び８７、８８、８９がスタンピング具を、好ましくはプランジャー及びダイ（dye）により使用するためのものであり、支持要素が、多くの異なる方法、例えば接着剤の接着滴によって配置することができ、小さく横に切ったフラップなどによって配置することができる。その全てが、技術に精通した者にとってすぐに利用できるように、変形される。
【図面の簡単な説明】
【図１】  エンベロープ用の材料。
【図２】  エンベロープのケーシング用の材料。
【図３】  コンパクトディスクを挿入した折り畳み、組み立て装置の部分断面図。
【図４】  エンベロープ用の材料の第二実施例。
【図５】  エンベロープ用の材料の第三実施例。
【図６】  コンパクトディスクが、どのように第二または第三実施例によるエンベロープに支持されるかを示した概略的な部分断面図。
【図７】  ディスクが挿入された第二実施例による、簡単に折り畳まれたエンベロープ。
【図１】
0004188565.tif 000002
【図２】
0004188565.tif 000003
【図３】
0004188565.tif 000004
【図４】
0004188565.tif 000005
【図５】
0004188565.tif 000006
【図６】
0004188565.tif 000007
【図７】
0004188565.tif 000008